(57)【要約】【課題】放熱性及び強度を向上できる照明装置及び表示装置を提供する。【解決手段】表示パネル２と、表示パネル２の背面に配されて表示パネル２を照明する照明装置３とを備えた表示装置１において、照明装置３は光源７と、光源７から光を導光して面状に出射する導光体６と、光源７及び導光体６とを内面側に収容する鋳造加工された金属体によって構成されたフレーム８とを備えた。【選択図】図１
2007265837.tif 000002
【特許請求の範囲】
【請求項１】
光源と、該光源から光を導光して面状に出射する導光体と、前記光源及び前記導光体と
を内面側に収容する鋳造加工された金属体によって構成されたフレームと、を備えたこと
を特徴とする照明装置。
【請求項２】
前記フレームの外面には、表面から突出した凸状のボスが設けられていることを特徴と
する請求項１に記載の照明装置。
【請求項３】
前記凸状のボスは、外部と接続固定が可能に設けられた取付部であることを特徴とする
請求項２に記載の照明装置。
【請求項４】
前記光源は、前記導光体の端面の側に配置されており、前記フレームの外面に設けられ
た凸状のボスは、前記光源が配置された側の前記フレーム側面に設けられていることを特
徴とする請求項２又は請求項３に記載の照明装置。
【請求項５】
前記光源は、前記導光体の端面の側に配置されており、前記フレームの外面に設けられ
た凸状のボスは、前記導光体の前記光源が配置されていない側よりも前記光源が配置され
た側に寄せられて前記フレームの背面に設けられていることを特徴とする請求項２又は請
求項３に記載の照明装置。
【請求項６】
前記光源は、前記導光体の出射面とは反対の裏面側に配置されており、前記フレームは
内面側に曲面を有して構成されており、前記フレームの外面に設けられた凸状のボスは、
前記フレームの背面に設けられていることを特徴とする請求項２又は請求項３に記載の照
明装置。
【請求項７】
前記導光体は出射面に対向する背面が前記出射面に対して傾斜するとともに、前記フレ
ームが前記背面に面した傾斜面を有することを特徴とする請求項１乃至６のいずれか１項
に記載の照明装置。
【請求項８】
前記フレームがアルミニウムから成ることを特徴とする請求項項１乃至７のいずれか１
項に記載の照明装置。
【請求項９】
請求項１乃至請求項８のいずれか１項に記載の照明装置の出射面側に表示パネルを備え
たことを特徴とする表示装置。
【請求項１０】
表示パネルを照明する照明装置の筐体を成して光源を保持する照明装置用フレームにお
いて、鋳造加工した金属体から成ることを特徴とする照明装置用フレーム。
【請求項１１】
アルミニウムから成ることを特徴とする請求項１０に記載の照明装置用フレーム。
【発明の詳細な説明】
【技術分野】
【０００１】
本発明は、表示パネルを照明する照明装置、及びそれを有する表示装置に関する。また
本発明は、照明装置用フレームに関する。
【背景技術】
【０００２】
従来の液晶パネル等の表示パネルを有する表示装置は特許文献１に開示される。図６は
この表示装置の概略を示す側面断面図である。表示装置１は表示パネル２の背面に照明装
置３が配される。照明装置３の筐体は樹脂製のフレーム８から成り、フレーム８により光
源７及び導光体６が保持される。光源７はＬＥＤや冷陰極管から成り、導光体６の側面に
面して配置される。導光体６は光源７から出射された光が側面から入射し、光を内部で反
射しながら導光する。
【０００３】
表示パネル２は周部を覆う上ベゼル４により照明装置３に取り付けられる。フレーム８
の下面には板金加工された金属製の下ベゼル５が取り付けられる。下ベゼル５に設けた取
付孔５ａに挿通したネジ（不図示）により、表示装置１を搭載する機器のシャーシ（不図
示）に表示装置１が取り付けられる。
【０００４】
上記構成の表示装置１において、光源７の出射光は導光体６に入射して導光する。導光
体６内を導光して臨界角を超えた光が表示パネル２に面した出射面６ａから均一に出射さ
れる。導光体６から出射された光は表示パネル２を照明する。これにより、表示パネル２
に画像が表示される。
【０００５】
また、光源７の熱はフレーム８を介して下ベゼル５に伝えられ、シャーシを介して放熱
される。これにより、表示パネル２及び照明装置３の熱変形による画質低下を防止するこ
とができる。
【特許文献１】特開２００２−１０９９２９号公報（第４頁−第６頁、第４図）
【発明の開示】
【発明が解決しようとする課題】
【０００６】
しかしながら、上記従来の表示装置１によると、光源７の熱が熱伝導率の小さい樹脂製
のフレーム８を介して下ベゼル５に伝えられる。このため、照明装置３から充分放熱され
ず、表示装置１の画質低下を招く問題があった。また、樹脂成形品から成るフレーム８及
び板金加工から成る下ベゼル５は厚みが薄く、照明装置３の充分な強度を得ることができ
ない問題もあった。
【０００７】
本発明は、放熱性及び強度を向上できる照明装置及び表示装置を提供することを目的と
する。また本発明は、照明装置の放熱性及び強度を向上できる照明装置用フレームを提供
することを目的とする。
【課題を解決するための手段】
【０００８】
上記目的を達成するために本発明の照明装置は、光源と、該光源から光を導光して面状
に出射する導光体と、前記光源及び前記導光体とを内面側に収容する鋳造加工された金属
体によって構成されたフレームと、を備えたことを特徴としている。この構成によると、
フレームに保持される光源から出射した光が導光体を導光して照明装置から均一に出射さ
れ、照明装置に面して配される表示パネルが照明される。また、光源の熱は鋳造品から成
るフレームを介して放熱される。
【０００９】
また本発明は、上記構成の照明装置において、前記フレームの外面には、表面から突出
した凸状のボスが設けられていることを特徴としている。
【００１０】
また本発明は、上記構成の照明装置において、前記凸状のボスは、外部と接続固定が可
能に設けられた取付部であることを特徴としている。この構成によると、照明装置を搭載
する機器のシャーシや放熱板等にネジ止め等により取付部が取り付けられる。光源の熱は
フレーム及びシャーシ等を介して放熱される。
【００１１】
また本発明は、上記構成の照明装置において、前記光源は、前記導光体の端面の側に配
置されており、前記フレームの外面に設けられた凸状のボスは、前記光源が配置された側
の前記フレーム側面に設けられていることを特徴としている。
【００１２】
また本発明は、上記構成の照明装置において、前記光源は、前記導光体の端面の側に配
置されており、前記フレームの外面に設けられた凸状のボスは、前記導光体の前記光源が
配置されていない側よりも前記光源が配置された側に寄せられて前記フレームの背面に設
けられていることを特徴としている。
【００１３】
また本発明は、上記構成の照明装置において、前記光源は、前記導光体の出射面とは反
対の裏面側に配置されており、前記フレームは内面側に曲面を有して構成されており、前
記フレームの外面に設けられた凸状のボスは、前記フレームの背面に設けられていること
を特徴としている。
【００１４】
また本発明は、上記構成の照明装置において、前記導光体は出射面に対向する背面が前
記出射面に対して傾斜するとともに、前記フレームが前記背面に面した傾斜面を有するこ
とを特徴としている。この構成によると、光源の出射光が導光体に入射して導光し、傾斜
面で反射した光が導光体の出射面から出射される。
【００１５】
また本発明は、上記構成の照明装置において、前記フレームがアルミニウムから成るこ
とを特徴としている。
【００１６】
また本発明の表示装置は、上記各構成の照明装置の出射面側に表示パネルを備えたこと
を特徴としている。
【００１７】
また本発明の照明装置用フレームは、表示パネルを照明する照明装置の筐体を成して光
源を保持する照明装置用フレームにおいて、鋳造加工した金属体から成ることを特徴とし
ている。
【００１８】
また本発明は、上記構成の照明装置用フレームにおいて、アルミニウムから成ることを
特徴としている。
【発明の効果】
【００１９】
本発明によると、照明装置のフレームが鋳造加工した金属から成るので、照明装置の背
面に金属枠を設ける必要がなく部品点数を削減できるとともにフレームの強度が向上して
照明装置の強度を向上できる。また、光源の熱が金属製のフレームに設けられた取付部を
介して外部に放熱されるとともに、フレームの体積が大きくなるため熱容量が増加して光
源からの熱が溜まりにくくなる。従って、照明装置の放熱性を向上することができる。加
えて、鋳造加工により同一形状のフレームを低コストで大量に生産することができ、フレ
ーム、照明装置及び表示装置のコスト増加を抑制することができる。
【００２０】
また本発明によると、フレームを支持、或いは固定する取付部をフレームの外面に突設
したので、照明装置の周囲に配される回路基板等を回避してシャーシ等に照明装置を容易
に取り付けることができる。
【００２１】
また本発明によると、光源を導光体の側端面の側方に配置し、ボスを光源が配置された
側のフレーム側面に設けたので、光源の熱をボスを介してより確実に放熱することができ
る。
【００２２】
また本発明によると、光源を導光体の側端面の側方に配置し、ボスを光源が配置された
側に偏ってフレーム背面に設けたので、光源の熱をボスを介してより確実に放熱すること
ができる。
【００２３】
また本発明によると、光源を導光体の裏面側に設け、ボスをフレーム背面に設けたので
、光源の熱をボスを介してより確実に放熱することができる。
【００２４】
また本発明によると、フレームは導光体の背面に面した傾斜面を有するので、フレーム
の体積がより増加して照明装置の放熱性を更に向上することができる。
【００２５】
また本発明によると、フレームがアルミニウムから成るので、鋳造加工したフレームを
容易に実現できるとともに、フレームの熱伝導率が高く放熱性をより向上することができ
る。
【発明を実施するための最良の形態】
【００２６】
以下に本発明の実施形態を図面を参照して説明する。図１は第１実施形態の表示装置を
示す側面断面図である。説明の便宜上、前述の図６に示す従来例と同様の部分は同一の符
号を付している。表示装置１は例えば液晶等の表示パネル２と表示パネルの背面側から光
を照射する照明装置３が備えられている。表示パネル２は該パネルの外周部（端部）を表
示面側から覆う枠状の上ベゼル４により照明装置３に取り付けられる。
【００２７】
照明装置３は、光源７と、光源７からの出射される光を端面（側面）から採取して内部
で拡散させて面光源に変換する導光体６と、光源７及び導光体６を収容するフレーム８を
備えている。フレーム８は、導光体６の体積より大きな体積を有している。従って、導光
体６の側面は収容するフレーム８によって取り囲まれている。図２に示すように、光源７
はフレーム８内で導光体６の端面に配置されており、例えばＦＰＣ９に実装された複数の
ＬＥＤから成り、ＦＰＣ９がフレーム８の側壁に貼り付けられる。これにより、光源７が
フレーム８の側壁に隣接するとともに、導光体６の側面に面して配置される。
【００２８】
導光体６は表示パネル２側に面した出射面６ａを有し、出射面６ａに対向する背面６ｂ
が出射面６ａに対して傾斜した断面がくさび形になっている。フレーム８の導光体６の背
面側に面した表面８ｃは、導光体６側から入射した光を反射して導光体６及び表示パネル
２側に出射可能な反射面とされている。光源７から出射して導光体６に入射した光は導光
体６の内部で導光される。また、導光体６の出射面６ａ側には必要に応じてレンズ（プリ
ズム）シートや拡散板や反射偏光子等の光学シート（不図示）が１枚若しくは複数配され
、導光体６の背面６ｂ側には必要に応じて反射シート（不図示）が配されている。
【００２９】
フレーム８は熱伝導率の高いアルミニウムを鋳造加工して形成される。このため、フレ
ーム８は鋳造可能な所定の厚みを有するため体積が大きく、熱容量が大きくなっている。
また、フレームの内面側には導光体６の背面６ｂに面した傾斜面８ｃが形成される。これ
により、光源７から離れた側の厚みが更に厚くなり、フレーム８の熱容量がより大きくな
っている。尚、フレーム８の材料として、熱伝導率が低くなるがステンレスや真鍮等を用
いてもよい。
【００３０】
フレーム８の背面（表示パネル２が配置される側とは反対側）には表面から外側に突出
する取付部（凸状のボス）８ａが設けられる。取付部８ａはネジ孔８ｂが設けられ、表示
装置１が搭載される携帯電話機やカーナビゲーションシステム等の機器に設けた金属製の
シャーシ１０や放熱板等にフレーム８がネジ（不図示）により固定される。また、取付部
８ａがフレーム８の背面から突出するため、表示パネル２の回路基板１１等をフレーム８
の周囲に配置しても容易に回路基板１１等を回避してフレーム８とシャーシ１０とを連結
できるようになっている。
【００３１】
上記構成の表示装置１において、光源７の出射光は導光体６に入射して導光され、平面
的に光拡散された面光源として表示パネル２を照射する。導光体６内を導光して傾斜した
背面６ｂで反射した光が出射面６ａから均一に出射される。導光体６から出射された光は
表示パネル２を照明する。これにより、表示パネル２に画像が表示される。
【００３２】
また、光源７の熱は金属製のフレーム８に伝えられ、取付部８ａを介してシャーシ１０
から放熱されるので、放熱効率を向上させることができる。
【００３３】
本実施形態によると、照明装置３用の光源７を保持するフレーム８が鋳造加工した金属
から成るので、照明装置３の背面に下ベゼル５（図６参照）等の金属枠を設ける必要がな
く部品点数を削減できるとともにフレーム８の強度が向上して照明装置３の強度を向上で
きる。また、光源７の熱が金属製のフレーム８を介して放熱されるとともに、フレーム８
の体積が大きくなるため熱容量が増加して光源７からの熱が溜まりにくくなる。従って、
照明装置３の放熱性を向上することができる。加えて、鋳造により同一形状のフレーム８
を低コストで大量に生産することができ、フレーム８、照明装置３及び表示装置１のコス
ト増加を抑制することができる。
【００３４】
次に、図３は第２実施形態の表示装置の概略を示す側面断面図である。説明の便宜上、
前述の図１、図２に示す第１実施形態と同様の部分には同一の符号を付している。第１実
施形態と異なる点は、フレーム８に設けられる取付部８ａが発熱部となる光源７に近接し
た位置に設けられている。その他の部分は第１実施形態と同様である。
【００３５】
本実施形態によると、第１実施形態と同様の効果を得ることができるとともに、取付部
８ａと光源７とを近設したので、光源７の熱を取付部８ａを介してより確実に放熱するこ
とができる。尚、第１、第２実施形態において光源７として冷陰極管が代わりに配置され
る場合はＬＥＤに比べ放熱量が多いので有効である。
【００３６】
次に、図４は第３実施形態の表示装置の概略を示す側面断面図である。説明の便宜上、
前述の図１、図２に示す第１実施形態と同様の部分には同一の符号を付している。第１実
施形態と異なる点は、光源７が冷陰極管から成り、取付部８ａは光源７が近設した側のフ
レーム８の側壁に突設している。つまり、光源７に対して導光体６が配置される側（光源
７が導光体６に向けて光を出射する側）とは反対側にフレーム８表面から突出した取付部
８ｃが設けられている。その他の部分は第１実施形態と同様である。
【００３７】
本実施形態によると、第１実施形態と同様の効果を得ることができるとともに、取付部
８ａと光源７とを近設したので、発熱した光源７からの熱を取付部８ａを介してより確実
に放熱することができる。尚、光源７を第１、第２実施形態と同様のＬＥＤにより構成し
てもよい。また、第１〜第３実施形態において、導光体６を前述の図６に示す従来例と同
様の断面矩形にしてもよい。
【００３８】
次に、図５は第４実施形態の表示装置の概略を示す側面断面図である。説明の便宜上、
前述の図１、図２に示す第１実施形態と同様の部分には同一の符号を付している。第１実
施形態と異なる点は、冷陰極管から成る光源７が断面矩形の導光体６の背面に配された直
下型の照明装置３になっている。従って、導光体６に対して表示パネル２が配置される側
とは反対側に冷陰極管から成る光源７が配置された構成となっている。フレーム８の内側
の底面には光源７から出射された光を集光して導光体６側に反射する反射面が形成されて
いる。反射面の表面は、冷陰極管の管の曲面方向に曲げられた放物面（曲面）８ｄを有し
ており、放物面８ｄの焦点に配した光源７の出射光が放物面８ｄで反射して導光体６に導
かれるようになっている。従って、フレーム８の放物面（曲面）８ｄを有した部分は厚み
が連続的に異なっており、取付部８ａは厚みの薄い部分（或いは配置された光源と平面的
にその一部が重なるような領域）のフレーム背面に設けられている。その他の部分は第１
実施形態と同様である。
【００３９】
本実施形態によると、第１実施形態と同様の効果を得ることができるとともに、フレー
ム８の中央部に配される取付部８ａと光源７とを近設したので、光源７の熱を取付部８ａ
を介してより確実に放熱することができる。
【産業上の利用可能性】
【００４０】
本発明によると、表示パネルを照明する照明装置、及びそれを有する表示装置に利用す
ることができる。
【図面の簡単な説明】
【００４１】
【図１】本発明の第１実施形態の表示装置を示す側面断面図
【図２】本発明の第１実施形態の表示装置を示す部分斜視図
【図３】本発明の第２実施形態の表示装置を示す側面断面図
【図４】本発明の第３実施形態の表示装置を示す側面断面図
【図５】本発明の第４実施形態の表示装置を示す側面断面図
【図６】従来の表示装置を示す側面断面図
【符号の説明】
【００４２】
１    表示装置
２    表示パネル
３    照明装置
４    上ベゼル
５    下ベゼル
６    導光体
６ａ  出射面
６ｂ  対向面
７    光源
８    フレーム
８ａ  取付部
８ｃ  傾斜面
１０    シャーシ
１１    回路基板
【図１】
2007265837.tif 000003
【図２】
2007265837.tif 000004
【図３】
2007265837.tif 000005
【図４】
2007265837.tif 000006
【図５】
2007265837.tif 000007
【図６】
2007265837.tif 000008